(57)【要約】【課題】ロータの軽量化を図ることができる魚釣り操作性に優れた高強度の魚釣用スピニングリールを提供する。【解決手段】本発明の魚釣用スピニングリールは、リール本体１に設けられたハンドル２の回転操作で連動回転する回転筒軸８に固定されるロータ３を有する。ロータ３は、回転筒軸８に固定される固定部２０と、固定部２０に突出形成される一対の支持部２２と、一対の支持部２２を回転方向に沿ってリング状に連結する連結部材２５と、を有し、連結部材２５には、前方に向けて延出し、釣糸案内部１５を有する支持部材１６が装着可能な装着部２６が形成されている。また、支持部材１６を釣糸巻き取り状態と釣糸放出状態とに切り換える切換制御部材３５，６５を内部に収容する収容体６０が装着部２６から後方へ向けて延在する。【選択図】図１
2011177067.tif 000002
【特許請求の範囲】
【請求項１】
リール本体に設けられたハンドルの回転操作で連動回転する駆動軸に固定されるロータを有する魚釣用スピニングリールにおいて、
前記ロータは、前記駆動軸に固定される固定部と、前記固定部に形成される支持部と、前記支持部を回転方向に沿って略リング状に連結する連結部材と、を有し、
前記連結部材には、前方に向けて延出し、釣糸案内部を有する支持部材が装着可能な装着部が形成され、
前記支持部材を釣糸巻き取り状態と釣糸放出状態とに切り換える切換制御部材を内部に収容する収容体が前記装着部から後方へ向けて延在することを特徴とする魚釣用スピニングリール。
【請求項２】
前記収容体は、前記装着部と別体に形成されて前記装着部に取り付け固定されることを特徴とする請求項１に記載の魚釣用スピニングリール。
【請求項３】
前記支持部は、前記固定部に対して径方向外方に向けて少なくとも一対形成されており、前記連結部材は、前記少なくとも一対形成された支持部を回転方向に沿って連結することを特徴とする請求項１または請求項２に記載の魚釣用スピニングリール。
【請求項４】
前記一対の支持部間には前記ロータの固定部の後方側に開口部が形成されることを特徴とする請求項３に記載の魚釣用スピニングリール。
【請求項５】
前記ロータの前記固定部および前記支持部には、これらを接続する壁部が前記装着部と対向して形成されていないことを特徴とする請求項４に記載の魚釣用スピニングリール。
【発明の詳細な説明】
【技術分野】
【０００１】
本発明は、ハンドルの回転操作に連動回転するロータ部分に設けた釣糸案内部を介してスプールに釣糸を巻回する魚釣用スピニングリールに関する。
【背景技術】
【０００２】
通常、魚釣用スピニングリールは、例えば、特許文献１及び特許文献２に開示されているように、ハンドルの回転操作に連動回転するロータと、前後往復動して釣糸を巻回するスプールとを備えており、ロータのアーム部に設けられた釣糸案内部を介して釣糸をスプールに巻回するよう構成されている。前記ロータは、ハンドルの回転操作によって回転駆動される駆動軸に固定されて駆動軸と共に回転駆動され、前記スプールは、公知のオシレーティング機構を介して、ハンドルの回転操作に伴って前後往復駆動される。
【０００３】
前記アーム部は、ロータ円筒部の後端から径方向外方に延設した接続部に一体形成されており、前記駆動軸を挟んで対向し、駆動軸方向に沿って前方に延出している。また、前記釣糸案内部は、前記一対のアーム部の先端（前部）に揺動可能に支持されてベールを装着した支持部材（アームレバー）の一方に設けられている。さらに、前記アーム部には、特許文献２に開示されているように、前記支持部材を釣糸巻き取り状態と釣糸放出状態とに振り分け付勢するバネ部材や、釣糸放出状態の支持部材を釣糸巻き取り状態に復帰反転させる復帰部材などの機能部材が収容されている。
【先行技術文献】
【特許文献】
【０００４】
【特許文献１】特開２００６−１９７９２３号
【特許文献２】特許昭５６−１０９５３２号
【発明の概要】
【発明が解決しようとする課題】
【０００５】
前述したように、一対の前記アーム部内には、前記支持部材を釣糸巻き取り状態と釣糸放出状態とに振り分け付勢するバネ部材や、前記復帰部材などの切換制御部材が収容されるが、これらのアーム部は、ロータ円筒部の後部から径方向外方および前方に突出するエラの張ったような形態となって、リールの大型化・重量化をもたらす。そのため、魚釣り操作性に劣るとともに、強負荷巻き取り時や落下時などにおいては、ロータ円筒部の後部外周とアーム部との対向する付け根部分に応力が集中し、その部分が折損し易くなる。
【０００６】
本発明は、上記した問題に着目してなされたものであり、ロータの軽量化を図ることができる魚釣り操作性に優れた高強度の魚釣用スピニングリールを提供することを目的とする。
【課題を解決するための手段】
【０００７】
上記した目的を達成するために、本発明に係る魚釣用スピニングリールは、リール本体に設けられたハンドルの回転操作で連動回転する駆動軸に固定されるロータを有する構成において、前記ロータは、前記駆動軸に固定される固定部と、前記固定部に形成される支持部と、前記支持部を回転方向に沿って略リング状に連結する連結部材と、を有し、前記連結部材には、前方に向けて延出し、釣糸案内部を有する支持部材が装着可能な装着部が形成され、前記支持部材を釣糸巻き取り状態と釣糸放出状態とに切り換える切換制御部材を内部に収容する収容体が前記装着部から後方へ向けて延在することを特徴とする。
【０００８】
上記した構成の魚釣用スピニングリールによれば、ロータの固定部の支持部を連結する連結部材の前方延出部に装着部を形成し、この装着部から後方へ向けて延在する収容体の内部に、釣糸案内部を有する支持部材を釣糸巻き取り状態と釣糸放出状態とに切り換える切換制御部材を収容する構成としたため、従来のように、ロータ円筒部の後部から径方向外方および前方に突出するエラの張ったような形態のアーム部が不要となり、支持部材が装着される装着部の強度の維持を図りながら、可及的にロータの軽量化が可能となる。そのため、ロータのイナーシャ（慣性）の低減が図られ、ロータの回転および停止の操作感度が向上して、釣糸の張力変化に敏感に反応でき、魚信感度が格別に向上する（釣り操作性が向上する）。更に、ロータの固定部に形成される支持部を連結する略リング状の連結部材の前記支持部に強負荷巻き取り時の応力が分散する梁構造により、軽量化を図りながら効果的な強度維持が可能となるため、従来において多く発生していたロータ円筒部の後部外周とアーム部との対向する付け根部分の折損トラブルの問題は解消される。
【発明の効果】
【０００９】
本発明によれば、ロータの軽量化を図ることができる魚釣り操作性に優れた高強度の魚釣用スピニングリールが得られる。
【図面の簡単な説明】
【００１０】
【図１】本発明に係る魚釣用スピニングリールの一実施形態を示す図であり、全体構成を示す図。
【図２】釣糸案内部側のロータの側面図（図１のＡ方向矢視図）。
【図３】図２と反対側のロータの側面図（図１のＢ方向矢視図）。
【図４】図５をＤ方向から見た図。
【図５】ロータ部分の構成を示す図（図４のＣ−Ｃ線に沿った断面図）。
【図６】収容体内に切換制御部材としての振り分け保持機構が収容された状態を示す釣糸案内部側のロータの側面図。
【図７】収容体内に切換制御部材としての反転キック部材（復帰部材）が収容された状態を示す図６と反対側のロータの側面図。
【図８】図１に示す魚釣用スピニングリールにおいて、スプールを取り外し、ロータを９０°回転させた状態を示す図であって、支持部材が釣糸巻き取り状態に設定された図。
【図９】図１に示す魚釣用スピニングリールにおいて、スプールを取り外し、ロータを９０°回転させた状態を示す図であって、支持部材が釣糸放出状態に設定された図。
【図１０】リール本体に形成される円筒部とロータ部分を示す図。
【図１１】釣糸案内部側でのロータの装着部に対する支持部材の装着方法を示す分解図である。
【図１２】釣糸案内部と反対側でのロータの装着部に対する支持部材の装着方法を示す分解図である。
【図１３】収容体の変形例を示す図５に対応する図。
【発明を実施するための形態】
【００１１】
以下、図面を参照しながら本発明に係る魚釣用スピニングリールの実施形態について説明する。なお、本出願の全体にわたって、軸方向とは、スプール軸に沿った方向を意味し、後方とは、対象としている部材のリール本体側、前方とは、対象としている部材のスプール側を意味する。
【００１２】
本実施形態の魚釣用スピニングリールのリール本体１には、回転操作されるハンドル２と、ハンドル２の回転操作によって回転駆動されるロータ３と、ロータ３の回転駆動と同期して前後動されるスプール５とが設けられている。
【００１３】
前記リール本体１内には、公知のように、前記ハンドル２が装着されたハンドル軸が軸受を介して回転可能に支持されており、ハンドル軸には、ハンドル２の回転操作を、前記ロータ３に伝達すると共に、前記スプール５に伝達する動力伝達機構が係合されている。
【００１４】
この場合、動力伝達機構は、ハンドル軸に一体回転可能に装着される駆動歯車（ドライブギヤ）と、ハンドル軸に対して直交する方向に延出する回転軸筒（駆動軸）８とを備えている。そして、回転軸筒８の後方側には、図１０に示すように、前記駆動歯車と噛合するピニオン８ａが形成されており、先端部には、後述するように、ロータナット９を螺合することで、前記ロータ３が回転軸筒８に対して取り付けられている。
【００１５】
また、前記回転軸筒８の内部には、前部に、釣糸が巻回される前記スプール５を保持したスプール軸５ａが挿通されている。このスプール軸５ａには、公知のオシレーティング機構が連結されており、前記ハンドル軸がハンドル２の回転操作によって回転されると、スプール軸５ａは軸方向に沿って前後往復駆動される。
【００１６】
上記した構成により、前記ハンドル２を回転操作することで、前記ロータ３は、前記動力伝達機構を介して回転駆動され、かつ前記スプール５は、前記オシレーティング機構を介して前後に往復駆動され、釣糸は、ロータ３に設けられる釣糸案内部１５を介して、スプール５の釣糸巻回胴部５ｂに均等に巻回される。
【００１７】
次に、前記ロータ３の構成について説明する。  
前記ロータ３は、前記回転軸筒（駆動軸）８に対して固定される固定部２０と、固定部２０の径方向外方に突出形成される支持部２２と、支持部２２を回転方向に沿って、図４のように、前方から後方に向けて見た形態が略リング状に連結する連結部材２５と、を有している。なお、本実施形態では、固定部２０に形成される支持部２２を、径方向外方に向けて突出した腕状に形成している。このように、支持部２２を腕状に形成する場合、図６に示すように、バランス、強度を考慮して少なくとも一対設けることが好ましい。
【００１８】
前記固定部２０は、ロータナット９によって回転軸筒８に固定される部分であり、本実施形態では、図４に示すように、軸方向に対して直交する方向に延びて所定の面積を有する領域として構成されている。具体的に、本実施形態の固定部２０は、ロータナット９のような固定部材によってロータ３を回転軸筒８に対して固定できるよう平坦状に構成されており、その中央部分に開口２０ａを形成し、ここに回転軸筒８を挿入してロータナット９を螺合することで、回転軸筒８に対してロータ３が回り止め固定される。なお、固定部２０の中心（開口２０ａの中心領域）は、スプール軸５ａが挿通される部分となる。
【００１９】
前記支持部（腕部）２２は、固定部２０の周縁から径方向外方に突出するよう構成されており、本実施形態では、挿通される回転軸筒８を中心として径方向（略１８０°間隔）に延出するように一対形成されている。この場合、一対の支持部２２は、図４に示すように、ロータ３を平面視した際、固定部２０から径方向外方に延出すると共に、図２及び図３、図８等に示すように、後方側に向かうように折曲して突出形成されている。このため、本実施形態の一対の支持部２２は、後方側に向けて次第に拡径するように突出形成された形態となっている。なお、支持部２２は、後述するように、固定部２０を囲繞するように前方から後方に向けて見た形態が略リング状に形成された帯状の連結部材２５によって回転方向に沿って連結されるため、連結部材２５の強度や回転バランスを考慮して、好ましい実施形態として、上記したように一対設けられている。もちろん、支持部２２は、回転方向に沿って３箇所以上形成されていても良いし、突出形成するような各支持部２２については、強度や回転バランスを考慮して、回転方向に沿って等間隔で形成されていることが好ましい。
【００２０】
上記した一対の支持部２２は、固定部２０の周縁から後方側へ向かうように突出形成されており、それにより、これら一対の支持部２２間にはロータ３の固定部２０の後方側に開口部Ｓが形成される（図４参照）。また、各支持部２２の内側の間（前記開口部Ｓ内）には、リール本体１の前方に突出形成された円筒部（キャップ）１Ａが配された状態となっている。この場合、前記円筒部１Ａ内には、図１０に示すように、一方向クラッチ５０や軸受５１等の機能部品が、シール機構Ｋを介して防水収容されており、これにより、リール本体１をコンパクト化するようにしている。
【００２１】
前記連結部材２５は、固定部２０に対して径方向外方に突出形成された一対の支持部２２を、回転方向に沿って略リング状に連結する帯状の部材である。この場合、リング状とは、図４で示すように、ロータ３を平面視した際、固定部２０を、所定の空隙を介して囲繞するような形状であれば良く、回転バランスを考慮して、平面視した際、楕円状に形成されている。そして、その一部には、前方に向けて延出し、釣糸案内部１５を有する支持部材１６が装着可能な装着部２６が形成されている。従って、本実施形態のロータ３は、上記した一対の支持部２２、及びこれらを連結するリング状の連結部材２５によって、従来のロータ構造のような、円筒部の後端部から径方向外方に延設した接続部から前方に突出するアーム部が対向形成されない軽量化構造となる。なお、連結部材２５は、平面視した際にリング状に構成されていれば良く、支持部材１６の装着を考慮して、全体として楕円形状としているが、円形に近い楕円形状や円形状など、その形状は特定されず、適宜変更は可能である。
【００２２】
本実施形態の装着部２６は、図５に示すように、リング状に構成される連結部材２５の前記一対の支持部２２との連結位置２５ａを基点として、両側に向けて次第に湾曲しながら上昇する湾曲部２５ｂの前方側の端部に形成されている。このため、図５を９０°回転させた方向（矢印Ｂ方向）から見ると、図２および図３に示すように、装着部２６は、前方に移行するにしたがって次第に接近する連結部材２５（湾曲部２５ｂ）の前端部に配置されており、対向形成される両装着部２６の後方側は、図２，３，６，７に示すように、開口した状態（空隙部Ｓ１が形成された状態）となっている。なお、空隙部Ｓ１を形成する開口については、側面視した際、連結位置２５ａの部分で最も広く（開口幅Ｌ）なっており、前方に移行するにしたがって次第に狭くなる。  
つまり、支持部材１６が装着される連結部材２５は、後方側に向けて図２，３，６，７で示すように、後方に向けて拡開する略ハの字状に形成されているため、従来のようなアーム部及び基部の接続部が形成されない構造となり、ロータの可及的軽量化が可能となる。
【００２３】
なお、本実施形態においては、前述した開口部Ｓを広げて軽量化を図るため、ロータ３の固定部２０および支持部２２には、これらを接続する壁部が装着部２６と対向して形成されていない（図２，３等参照）。すなわち、対向する一対の支持部２２、２２間は、釣糸案内部１５側からその反対側へと左右に貫通する空洞状態になっている。
【００２４】
上記した装着部２６は、図４に示すように、前記一対の支持部２２と固定部２０を挟んで直交する方向において、前方に向けて延出するように前記連結部材２５に一対形成されており、前記支持部材１６は、各装着部２６に対して回動可能に装着されている。そして、回動可能な支持部材１６には、釣糸をピックアップするベール１７が装着されており、ベールの一方の基部側に前記釣糸案内部１５が設けられている。
【００２５】
このため、本実施形態の構成では、支持部材１６を回動させることで、釣糸案内部１５から釣糸を外す釣糸放出位置と、支持部材１６を反転させることで、前記ベール１７を介して釣糸をピックアップして釣糸を釣糸案内部１５に案内する釣糸巻き取り位置との間で回動可能となっており、釣糸放出後、容易に釣糸巻き取り状態に復帰させることが可能となっている。
なお、支持部材１６は、一方の装着部２６に固定された構成であっても良い。このような構成では、ベール１７が不要となり（ベールレスタイプ）、ロータ３の構造がより簡素化されて軽量化を図ることが可能となる。
【００２６】
また、本実施形態では、支持部材１６を釣糸巻き取り状態と釣糸放出状態とに切り換える後述する切換制御部材を内部に収容する収容体６０が両側の装着部２６から後方へ向けて延在している。この場合、収容体６０は、装着部２６と別体に形成されて装着部２６に取り付け固定される。収容体６０は、図１１および図１２に示されるように、装着部２６の内側（径方向内方の固定部２０側）に設けられており、支持部材１６を装着後、装着部２６に対する支持部材１６の装着によって装着部２６に取り付け固定される。前記装着部２６に対する支持部材１６の装着方法については、具体的には、図４及び図５にも示すように、各装着部２６の両内側に凹所２６Ａを形成し、かつ各装着部２６に開口２６ａを形成すると共に、支持部材１６にも対応する開口１６ａを形成しておく。そして、各装着部２６の凹所２６Ａに支持部材１６を位置決めして配置し、外側から袋ナット３０を挿入した状態で内側から止めビス３１を螺入することで、支持部材１６を装着部２６に対して回動可能に支持することが可能である。このような装着方法については、適宜変形することが可能であり、各装着部２６の外側に支持部材１６を配置しても良いし、装着部２６の前方端面に凹所を形成し、この部分に支持部材１６を差し込んで装着する構成であっても良い。また、上記したようにベールを設けない構成であれば、支持部材１６は、装着部２６に対して回動不能に固定される構成であっても良い。
【００２７】
また、支持部材１６を装着部２６に対して回動可能に支持する本実施形態の構造では、一方の装着部２６（釣糸案内部１５側の装着部２６）から後方へ延びる一方の収容体６０内に、支持部材１６を釣糸巻き取り位置と釣糸放出位置との間で振り分け保持する切換制御部材としての振り分け保持機構３５が配される。
【００２８】
このような振り分け保持機構３５については、例えば、図５，６，１０，１１，１２に示すように構成することが可能である。図８に示す振り分け保持機構３５は、支持部材１６に、前記止めビスが配される回動支持部の周囲に円弧状の溝が形成されると共に、装着部２６（または、収容体６０）に、前記溝に嵌合する突起が形成された構成となっている。そして、支持部材１６に、公知の振り分け保持バネ３７に係合する係合部の一端３７ａを係合し、収容体６０内に、その他端３７ｂを固定しておくことで、支持部材１６を、釣糸巻き取り位置と釣糸放出位置との間で振り分け保持することが可能である。
【００２９】
すなわち、支持部材１６が、図６および図７で示す釣糸巻き取り位置にある場合、振り分け保持バネ３７の付勢力によって支持部材１６は、反時計回り方向の力を受けるが、前記突起が前記溝の一端に当て付くことで、その位置が保持される。そして、図６で支持部材１６を釣り人の手によって時計回り方向に回動操作すると、振り分け保持バネ３７のデッドポイントを超えてその付勢力によって、時計回り方向の力を受けるが、前記溝の他端に前記突起が当て付くことで、その位置（釣糸放出位置・・・図９）が保持される。
【００３０】
また、本実施形態では、図７，８，９，１０，１２に示されるように、他方の装着部２６から後方へ延びる他方の収容体６０内に、釣糸放出位置にある支持部材１６をハンドル２の回転（ロータ３の回転）によって釣糸巻き取り位置へと自動復帰させる切換制御部材としての反転キック部材６５が配されている。図７等に示されるように、反転キック部材６５は、その一端６５ａが支持部材１６の円弧状の溝７０に係合し、その他端６５ｂが収容体６０の底部（後端部）の開口６０ａに位置されており、支持部材１６が図８に示される釣糸巻き取り位置から図９に示される釣糸放出位置へと回動されると、反転キック部材６５の一端６５ａが円弧状の溝７０の端面に当て付いて、反転キック部材６５の他端６５ｂが収容体６０の開口６０ａから外側に押し出される（図９の状態）。そして、この状態から、ハンドル２を回転させてロータ３を回転させると、開口６０ａから突出する反転キック部材６５の他端６５ｂが、リール本体１の前面に突設された突起８０（図８および図９参照）に当て付き、突起８０の傾斜案内面８０ａに沿って収容体６０内に押し戻される。これにより、反転キック部材６５の一端６５ａが円弧状の溝７０の端面を介して支持部材１６を釣糸巻き取り位置へと反転復帰させる。
【００３１】
上記した構成の魚釣用スピニングリールによれば、ロータ３の固定部２０の支持部２２を連結する連結部材２５の前方延出部に装着部２６を形成し、この装着部２６から後方へ向けて延在する収容体６０の内部に、釣糸案内部１５を有する支持部材１６を釣糸巻き取り状態と釣糸放出状態とに切り換える切換制御部材３５，６５を収容する構成としたため、従来のように、ロータ円筒部の後部から径方向外方および前方に突出するエラの張ったような形態のアーム部が不要となり、支持部材１６が装着される装着部２６の強度の維持を図りながら、可及的にロータ３の軽量化が可能となる。そのため、ロータ３のイナーシャ（慣性）の低減が図られ、ロータ６の回転および停止の操作感度が向上して、釣糸の張力変化に敏感に反応でき、魚信感度が格別に向上する（釣り操作性が向上する）。更に、ロータ３の固定部２０に形成される支持部２２を連結する略リング状の連結部材２５の前記支持部２２に強負荷巻き取り時の応力が分散する梁構造により、軽量化を図りながら効果的な強度維持が可能となるため、従来において多く発生していたロータ円筒部の後部外周とアーム部との対向する付け根部分の折損トラブルの問題は解消される。さらに、従来のロータのように、アーム部のための径方向に張り出す接続部を形成する必要がなくなるため、糸絡みを抑制することが可能となる。
【００３２】
また、上記した実施形態では、一対の支持部２２を略１８０°間隔で形成し、それと直交する方向に、支持部材１６の基端を装着する装着部２６を配置しており、前記連結部材２５は、各支持部２２との連結位置２５ａを基点として、両側に向けて次第に湾曲するような湾曲部２５ｂを介して装着部２６を配設した構造となっている。このため、支持部材１６に対して図１の矢印で示すような内側に作用する力は、その湾曲形状によって効率的に吸収（分散）することが可能となる。すなわち、連結部材２５に湾曲部２５ｂを形成し、前方に延出するにしたがって次第に接近するようなフレーム構造によって装着部２６を設けているため、支持部材１６の装着領域における強度を維持しながら、可能な限り装着部２６の形状を簡素化することが可能となる（従来のロータのアーム部としての機能を、強度低下させることなく可能な限り簡素化することが可能となる）。
【００３３】
そして、上記のような連結部材２５の形状によって、装着部２６の後方側は、略ハの字状に拡開し、空隙部Ｓ１を形成する開口ができるため、また、上記のような固定部２０および支持部２２の形状によって、前述した開口部Ｓを支持部２２間に形成したため、ロータ３をより簡素化して軽量化を図ることが可能となる。さらに、前方に移行するにしたがって、次第に開口の隙間が狭くなるような連結部材２５の外面形状であるため、糸絡みし難くなる。もちろん、装着部２６については、例えば、連結部材２５を連結位置２５ａから水平方向、あるいは上昇するような方向に直線状に延出させ、その端部で前方に向かうように延出させても良く、さらには、上記したような空隙部Ｓが形成されない構造（両側から次第に上昇する板状の構造）であっても良い。
【００３４】
このような構造であっても、ロータに円筒部や接続部、アーム部等を形成しなくても良いため、ロータの軽量化を図ることが可能となる。
【００３５】
また、本実施形態では、一対の支持部２２は、後方側へ向かうように突出形成し、各支持部２２間に、各種機能部品を設置したリール本体１の円筒部１ａを配置しているため、リール本体１のコンパクト化を図りつつ、ロータ３の重量を可能な限り軽量化することが可能となる。
【００３６】
なお、上述した実施形態の構成では、支持部材１６を、装着部２６に対して回動可能に装着し、支持部材１６に釣糸をピックアップするベール１７を設けたため、キャスティング時における操作性の向上が図れる。また、支持部材１６を釣糸放出位置と釣糸巻き取り位置との間で振り分け保持する振り分け保持機構３５および反転キック部材６５を収容体６０内に配設したことで、全体として軽量化を図りながら、従来の魚釣用スピニングリールと同様な作用効果を得ることが可能となる。
【００３７】
以上、本発明の実施形態について説明したが、本発明は上記した実施形態に限定されることはなく、種々変形することが可能である。
【００３８】
上記したように構成されるロータ３は、固定部２０、一対の支持部２２、及び連結部材２５が、同一の部材（金属、樹脂、ＦＲＰなど）によって一体形成されていても良いし、別部材を一体化した構造であっても良い。また、固定部２０の形状、各支持部２２の幅、突出長さ、及び支持部２２と連結部材２５の接続態様については、適宜変形することが可能である。例えば、各支持部２２は、外方に突出させることなく、固定部２０の外周縁にそのまま固定した形態であっても良い。このような構成では、固定部とリング状の連結部材の接続部分が支持部（連結位置）となる。
【００３９】
また、リング状に構成される連結部材２５の全体形状については、湾曲部や直線状部などを複合的に組み合わせたり、湾曲部のみで構成しても良く、その肉厚や幅等の構造については、スプールを挟んで対称的に構成されていても良いし、非対称にする等、適宜変形することが可能である。また、連結部材２５は、中空状に構成されていても良いし、支持部材１６間を複数の隣接する梁構造によって連結したものであっても良い。また、連結部材２５の断面形状については、円形、楕円形、矩形にする等、適宜変形することが可能であり、その表面についても、例えば、外観性を向上するために、各種模様を形成したり、表面処理を施しても良い。また、前記固定部２０、及び、一対の支持部２２によって、部分的に円筒状に形成される部分があっても良い。更にまた、ハの字状に拡開する連結部材２５の連結位置２５ａを、ロータ３の固定状部の後部に連結して、従来のアーム部や接続部を省略することでも、ロータ全体の軽量化が可能となる。また、前述した実施形態では、収容体６０が支持部材１６側に設けられていたが、図１３に示されるように収容体６０を連結部材２５と一体に形成しても良い。その場合、収容体６０内の内部が例えば別体のカバー９０によって閉塞されても良い。また、収容体６０は、いずれか一方、例えば釣糸案内部１５を有する支持部材１６を装着する装着部２６にだけ設けられ、他方の収容体６０を省略しても良い。
【符号の説明】
【００４０】
１  リール本体
２  ハンドル
３  ロータ
５  スプール
８  回転筒軸（駆動軸）
１５  釣糸案内部
１６  支持部材
２０  固定部
２２  支持部
２５  連結部材
２６  装着部
３５  振り分け保持機構（切換制御部材）
６０  収容体
６５  反転キック部材（切換制御部材）
Ｓ  開口部
【図１】
2011177067.tif 000003
【図２】
2011177067.tif 000004
【図３】
2011177067.tif 000005
【図４】
2011177067.tif 000006
【図５】
2011177067.tif 000007
【図６】
2011177067.tif 000008
【図７】
2011177067.tif 000009
【図８】
2011177067.tif 000010
【図９】
2011177067.tif 000011
【図１０】
2011177067.tif 000012
【図１１】
2011177067.tif 000013
【図１２】
2011177067.tif 000014
【図１３】
2011177067.tif 000015